(57)【要約】【課題】  ユーザ及びカード発行者相互の負担を軽減しつつ、的確にカードの機能停止を行う情報のやり取りが可能なカード状態変更システムを提供すること。【解決手段】  このカード状態変更システム１０は、ユーザの公開鍵証明書情報を受信する証明書受信部１０１と、受信した公開鍵証明書情報に対応する属性証明書情報を選択する属性選択部１０２と、当該選択した属性証明書情報が含む発行者特定情報を携帯電話機２０に送信する属性送信部１０３と、当該送信に応じて送信される変更発行者特定情報を受信する変更情報受信部１０４と、当該受信した変更発行者特定情報によって特定されるカード発行者が使用するカード会社端末３２〜３８に、カード状態変更情報を送信する変更情報送信部１０６と、を備える。【選択図】  図１
2007264940.tif 000002
【特許請求の範囲】
【請求項１】
複数のユーザそれぞれが複数のカードを利用している場合に、それら複数のカードの状態を選択的に変更する際に用いられるカード状態変更システムであって、
前記複数のユーザそれぞれを識別するための公開鍵証明書情報及び前記複数のユーザそれぞれが利用している複数のカードそれぞれのカード発行者を特定するための発行者特定情報が前記複数のユーザごとに関連付けられた情報である属性証明書情報と、当該属性証明書情報それぞれを識別するための証明書識別情報と、を関連付けて格納する属性証明書格納手段と、
前記複数のユーザの内の一のユーザが使用する通信端末から送信される、前記一のユーザの公開鍵証明書情報を受信する証明書受信手段と、
当該受信した公開鍵証明書情報に対応する属性証明書情報を、前記属性証明書格納手段に格納されている前記属性証明書情報から選択する属性選択手段と、
当該選択した属性証明書情報が含む発行者特定情報を前記通信端末に送信する属性送信手段と、
当該送信に応じて前記通信端末から送信される、状態を変更するカードの少なくともカード発行者を特定するための発行者特定情報を含む変更発行者特定情報を受信する変更情報受信手段と、
当該受信した変更発行者特定情報によって特定されるカード発行者が使用する通信装置に、前記一のユーザの属性証明書情報に対応する証明書識別情報を含むカード状態変更情報を送信する変更情報送信手段と、
を備えるカード状態変更システム。
【請求項２】
前記変更発行者特定情報は、前記発行者特定情報と共に、前記カード発行者が発行しているカードの状態変更の内容を特定する情報を含む、請求項１に記載のカード状態変更システム。
【請求項３】
前記カード状態変更情報は、前記証明書識別情報と共に、前記カード発行者が発行しているカードの状態変更の内容を特定する情報を含む、請求項１又は２に記載のカード状態変更システム。
【請求項４】
前記変更発行者特定情報の受信に応じて、前記属性証明書格納手段に格納されている属性証明書情報を更新する変更処理手段を更に備える、請求項１〜３のいずれか１項に記載のカード状態変更システム。
【請求項５】
複数のユーザそれぞれが複数のカードを利用している場合に、それら複数のカードの状態を選択的に変更するカード状態変更方法であって、
証明書受信手段が、前記複数のユーザの内の一のユーザが使用する通信端末から送信される、前記一のユーザの公開鍵証明書情報を受信する証明書受信ステップと、
属性選択手段が、当該受信した公開鍵証明書情報に対応する属性証明書情報を、属性証明書格納手段に格納されている属性証明書情報から選択する属性選択ステップと、
属性送信手段が、当該選択した属性証明書情報が含む発行者特定情報を前記通信端末に送信する属性送信ステップと、
変更情報受信手段が、当該送信に応じて前記通信端末から送信される、状態を変更するカードの少なくともカード発行者を特定するための発行者特定情報を含む変更発行者特定情報を受信する変更情報受信ステップと、
変更情報送信手段が、当該受信した変更発行者特定情報によって特定されるカード発行者が使用する通信装置に、前記一のユーザの属性証明書情報に対応する証明書識別情報を含むカード状態変更情報を送信する変更情報送信ステップと、
を備えるカード状態変更方法。
【発明の詳細な説明】
【技術分野】
【０００１】
本発明は、一人のユーザが複数のカードを利用している場合に、その複数のカードの機能を停止する際に用いられるカード状態変更システム及びカード状態変更方法に関する。
【背景技術】
【０００２】
キャッシュカードやクレジットカードの普及に伴い、一人のユーザが複数のカードを利用するケースが一般的になっている。尚、本明細書においてカードとは、クレジットカードといった信用取引に用いられるカード、キャッシュカード、デビットカード、及び電子マネーカードといった貨幣と同等の価値を有するカード、並びにポイントカードといった貨幣に準ずる価値を有するカードを含む概念である。
【０００３】
このように一人のユーザが複数のカードを利用している状況下では、例えばユーザが複数のカードを紛失した場合には、ユーザは各カード発行者に連絡を取って機能停止をしてもらう必要がある。尚、この背景技術は文献公知発明に係るものではないので、開示すべき文献情報はない。
【発明の開示】
【発明が解決しようとする課題】
【０００４】
上述したように、複数のカードを利用しているユーザがそれらのカードを紛失した場合に、各カード発行者に連絡を取って機能停止をしてもらうのは煩雑である。また、カード発行者にとっても、各ユーザ個別に認証等を対応する必要があり、煩雑な側面があった。
【０００５】
そこで本発明では、ユーザ及びカード発行者相互の負担を軽減しつつ、的確にカードの機能停止を行う情報のやり取りが可能なカード状態変更システム及びカード状態変更方法を提供することを目的とする。
【課題を解決するための手段】
【０００６】
本発明のカード状態変更システムは、複数のユーザそれぞれが複数のカードを利用している場合に、それら複数のカードの状態を選択的に変更する際に用いられるカード状態変更システムであって、（１）複数のユーザそれぞれを識別するための公開鍵証明書情報及び複数のユーザそれぞれが利用している複数のカードそれぞれのカード発行者を特定するための発行者特定情報が複数のユーザごとに関連付けられた情報である属性証明書情報と、当該属性証明書情報それぞれを識別するための証明書識別情報と、を関連付けて格納する属性証明書格納手段と、（２）複数のユーザの内の一のユーザが使用する通信端末から送信される、一のユーザの公開鍵証明書情報を受信する証明書受信手段と、（３）当該受信した公開鍵証明書情報に対応する属性証明書情報を、属性証明書格納手段に格納されている属性証明書情報から選択する属性選択手段と、（４）当該選択した属性証明書情報が含む発行者特定情報を通信端末に送信する属性送信手段と、（５）当該送信に応じて通信端末から送信される、状態を変更するカードの少なくともカード発行者を特定するための発行者特定情報を含む変更発行者特定情報を受信する変更情報受信手段と、（６）当該受信した変更発行者特定情報によって特定されるカード発行者が使用する通信装置に、一のユーザの属性証明書情報に対応する証明書識別情報を含むカード状態変更情報を送信する変更情報送信手段と、を備える。
また、本発明のカード状態変更方法は、複数のユーザそれぞれが複数のカードを利用している場合に、それら複数のカードの状態を選択的に変更するカード状態変更方法であって、証明書受信手段が、複数のユーザの内の一のユーザが使用する通信端末から送信される、一のユーザの公開鍵証明書情報を受信する証明書受信ステップと、属性選択手段が、当該受信した公開鍵証明書情報に対応する属性証明書情報を、属性証明書格納手段に格納されている属性証明書情報から選択する属性選択ステップと、属性送信手段が、当該選択した属性証明書情報が含む発行者特定情報を通信端末に送信する属性送信ステップと、変更情報受信手段が、当該送信に応じて通信端末から送信される、状態を変更するカードの少なくともカード発行者を特定するための発行者特定情報を含む変更発行者特定情報を受信する変更情報受信ステップと、変更情報送信手段が、当該受信した変更発行者特定情報によって特定されるカード発行者が使用する通信装置に、一のユーザの属性証明書情報に対応する証明書識別情報を含むカード状態変更情報を送信する変更情報送信ステップと、
を備える。
【０００７】
本発明のカード状態変更システム及びカード状態変更方法によれば、ユーザからの要求に応じてそのユーザが利用している複数のカードのカード発行者を特定する発行者特定情報を送信し、その送信に応じて変更発行者特定情報を受信するので、複数のカードに対する変更処理を一回の情報送受信に基づいて行うことができる。また、ユーザが使用する通信端末との間、及びカード発行者が使用する通信装置との間において、実際のカード番号をやり取りせずに処理できるので、より安全性の高いカード状態変更処理が可能となる。
【０００８】
また、本発明のカード状態変更システムでは、変更発行者特定情報は、発行者特定情報と共に、カード発行者が発行しているカードの状態変更の内容を特定する情報を含むことも好ましい。変更発行者特定情報が、カードの状態変更の内容を特定する情報を含むので、予め状態変更の内容を特定せずともカードの状態を変更することが可能となる。
【０００９】
また、本発明のカード状態変更システムでは、カード状態変更情報は、証明書識別情報と共に、カード発行者が発行しているカードの状態変更の内容を特定する情報を含むことも好ましい。カード状態変更情報が、カードの状態変更の内容を特定する情報を含むので、予め状態変更の内容を特定せずともカードの状態を変更することが可能となる。
【００１０】
また、本発明のカード状態変更システムでは、変更発行者特定情報の受信に応じて、属性証明書格納手段に格納されている属性証明書情報を更新する変更処理手段を更に備えることも好ましい。変更発行者特定情報の受信に応じて属性証明書情報を更新するので、カード状態の変更に応じた属性証明書情報を格納できる。
【発明の効果】
【００１１】
本発明によれば、ユーザ及びカード発行者相互の負担を軽減しつつ、的確にカードの機能停止を行う情報のやり取りが可能となる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
本発明の実施形態であるカード状態変更システムについて図１を参照しながら説明する。このカード状態変更システムは、複数のユーザそれぞれが複数のカードを利用している場合に、それら複数のカードの状態を選択的に変更する際に用いられるカード状態変更システムである。図１は、カード状態変更システム１０の機能的な構成を説明するための図である。カード状態変更システム１０は、ネットワークＮＷを介して携帯電話機２０（通信端末）と情報通信可能なように構成されている。また、カード状態変更システム１０は、カード会社端末３０，３２，３４，３６，３８（通信装置）とも情報通信可能なように構成されている。
【００１４】
カード会社端末３０はカード会社Ａ（カード発行者情報ＣＤ１）が、カード会社端末３２はカード会社Ｂ（カード発行者情報ＣＤ２）が、カード会社端末３４はカード会社Ｃ（カード発行者情報ＣＤ３）が、カード会社端末３６はカード会社Ｄ（カード発行者情報ＣＤ４）が、カード会社端末３８はカード会社Ｅ（カード発行者情報ＣＤ５）が、それぞれ利用する通信装置である。
【００１５】
尚、図１において、携帯電話機２０は１台のみ示されているが、実際にカード状態変更システム１０を利用する携帯電話機は多数存在する。また、カード状態変更システム１０は、ネットワークＮＷの外に配置されているが、ネットワークＮＷ内に配置されていてもよい。また、カード会社端末としては、カード会社端末３０，３２，３４，３６，３８の５台が例示されているが、この台数はカード状態変更システム１０を利用するカード会社の数によって増減する。
【００１６】
カード状態変更システム１０の機能的な構成要素を説明するのに先立って、カード状態変更システム１０のハードウェア構成を図４を参照しながら説明する。図４は、カード状態変更システム１０のハードウェア構成図である。
【００１７】
図４に示すように、カード状態変更システム１０は、ＣＰＵ（Ｃｅｎｔｒａｌ  Ｐｒｏｃｅｓｓｉｎｇ  Ｕｎｉｔ）１０ａ、主記憶装置であるＲＡＭ（Ｒａｎｄｏｍ  Ａｃｃｅｓｓ  Ｍｅｍｏｒｙ）１０ｂ及びＲＯＭ（Ｒｅａｄ  Ｏｎｌｙ  Ｍｅｍｏｒｙ）１０ｃ、ハードディスク等の補助記憶装置１０ｅ、並びにネットワークカード等のデータ送受信デバイスである通信モジュール１０ｄ等のハードウェアを備えるコンピュータ（またはコンピュータシステム）として構成される。これらの構成要素が動作することにより、カード状態変更システム１０の後述する機能が発揮される。
【００１８】
図１を再び参照しながら、カード状態変更システム１０の機能的な構成要素について説明する。カード状態変更システム１０は機能的な構成要素として、証明書受信部１０１（証明書受信手段）と、属性選択部１０２（属性選択手段）と、属性送信部１０３（属性送信手段）と、変更情報受信部１０４（変更情報受信手段）と、変更処理部１０５（変更処理手段）と、変更情報送信部１０６（変更情報送信手段）と、属性証明書格納部１５０（属性証明書格納手段）とを備えている。引き続いて、各構成要素について説明する。
【００１９】
証明書受信部１０１は、カード状態変更システム１０を利用する複数のユーザの内の一のユーザであるユーザＡが使用する携帯電話機２０から送信される、ユーザＡの公開鍵証明書情報を受信する部分である。証明書受信部１０１は、受信した公開鍵証明書情報を属性選択部１０２に出力する。
【００２０】
属性選択部１０２は、証明書受信部１０１が受信した公開鍵証明書情報に対応する属性証明書情報を、属性証明書格納部１５０に格納されている属性証明書情報から選択する部分である。属性選択部１０２は、選択した属性証明書情報を属性送信部１０３に出力する。
【００２１】
属性証明書格納部１５０に格納されている属性証明書情報の例を図２に示す。図２に示すように、属性証明書格納部１５０には、複数のユーザそれぞれを識別するための公開鍵証明書情報及び複数のユーザそれぞれが利用している複数のカードそれぞれのカード発行者を特定するためのカード発行者情報（発行者特定情報）が複数のユーザごとに関連付けられた情報である属性証明書情報と、当該属性証明書情報それぞれを識別するための証明書識別情報と、を関連付けて格納している。
【００２２】
また、カード発行者情報と関連付けてステータス情報も格納されている。ステータス情報は、対応するカード発行者が発行しているカードが「利用可能」なのか「停止中」なのかといった状態を示す情報である。
【００２３】
携帯電話機２０のユーザＡの公開鍵証明書情報は「ＡＡＡＡ−ａａａａ」であって、証明書識別情報は「００１」である。ユーザＡが利用しているカードのカード発行者情報は、「ＣＤ１」，「ＣＤ２」，「ＣＤ３」，「ＣＤ４」，「ＣＤ５」であり、全てステータスは「利用可能」である。
【００２４】
図１に戻り、属性送信部１０３は、属性選択部１０２が選択した属性証明書情報が含むカード発行者情報を携帯電話機２０に送信する部分である。携帯電話機２０はユーザＡが使用する通信端末であるから、属性送信部１０３は、カード発行者情報として「ＣＤ１」，「ＣＤ２」，「ＣＤ３」，「ＣＤ４」，「ＣＤ５」を携帯電話機２０に送信する。属性送信部１０３は、この送信に応じて、携帯電話機２０にカード発行者情報を送信した旨を示す情報を変更情報受信部１０４に出力する。変更情報受信部１０４は、この出力に応じて、携帯電話機２０から送信される情報を待つ状態に遷移する。
【００２５】
変更情報受信部１０４は、属性送信部１０３のカード発行者情報の送信に応じて携帯電話機２０から送信される、状態を変更するカードの少なくともカード発行者を特定するためのカード発行者情報（発行者特定情報）を含む変更発行者特定情報を受信する部分である。変更情報受信部１０４は、受信した変更発行者特定情報を変更処理部１０５に出力する。また、変更情報受信部１０４は、受信した変更発行者特定情報を直接、変更情報送信部１０６に出力してもよい。
【００２６】
例えば、属性送信部１０３が送信したカード発行者情報を携帯電話機２０が受信すると、携帯電話機２０のディスプレイには図５に示すような画面が表示される。携帯電話機２０のユーザＡが、例えばカード会社Ａ及びカード会社Ｂのカードを停止したい場合には、図６に示すようにカード会社Ａ及びカード会社Ｂのチェックボックスをチェックする。その後、停止ボタンを押すと、携帯電話機２０からカード状態変更システム１０にその情報が変更発行者特定情報として送信される。
【００２７】
ここで説明したように、携帯電話機２０からカード発行者を特定するためのカード発行者情報と共に、その変更内容（停止）が変更発行者特定情報として送信されることも好ましいが、変更内容を含まない変更発行者特定情報が送信される態様も採用可能である。例えば、カード状態変更システム１０をカードの停止機能に特化して用い、携帯電話機２０からカード発行者情報が送信されると自動的にカードの停止処理を行うようにすることも可能である。
【００２８】
図１に戻り、変更処理部１０５は、変更発行者特定情報の受信に応じて、属性証明書格納部１５０に格納されている属性証明書情報を更新する部分である。例えば、図６を参照しながら説明したように、ユーザＡが使用しているカードの内、カード会社Ａのカード及びカード会社Ｂのカードを停止することを要求した場合には、図２に示したカード発行者情報ＣＤ１及びＣＤ２に対応するステータス情報を「利用可能」から「停止中」に更新する。
【００２９】
変更処理部１０５が上述した処理を行うと、その後ユーザＡが属性証明書情報の閲覧を要求した場合には、図７に示すように、カード会社Ａ及びカード会社Ｂのステータスが「停止中」と表示される。変更処理部１０５はこの処理を行った後、変更処理が終了した旨及び対応する証明書識別情報（この例の場合には「００１」）及び属性証明書情報を変更情報送信部１０６に出力する。
【００３０】
変更情報送信部１０６は、変更情報受信部１０４が受信した変更発行者特定情報によって特定されるカード発行者が使用する通信装置に、ユーザＡの属性証明書情報に対応する証明書識別情報を含むカード状態変更情報を送信する部分である。上述した例の場合には、カード会社Ａが使用するカード会社端末３０と、カード会社Ｂが使用するカード会社端末３２とに、証明書識別情報「００１」と「停止」させる指示情報とを送信する。また、変更情報送信部１０６は、携帯電話機２０に停止処理が終了した旨の情報も送信する。
【００３１】
引き続いて、本実施形態のカード状態変更システム１０を利用するカード状態変更方法について図３を参照しながら説明する。
【００３２】
まず、携帯電話機２０に初期画面が表示される（Ｓ０１）。初期画面においては、例えば「カード機能変更を開始」する旨の情報が表示される。この初期画面において、ユーザＡがカード機能変更を開始する操作を行うと、携帯電話機２０からカード状態変更システム１０に公開鍵証明書情報が送信される（Ｓ０２）。
【００３３】
送信された公開鍵証明書情報は、カード状態変更システム１０の証明書受信部１０１が受信し、属性選択部１０２に出力する（証明書受信ステップ）。属性選択部１０２は、証明書受信部１０１が受信した公開鍵証明書情報に対応する属性証明書情報を、属性証明書格納部１５０に格納されている属性証明書情報から選択する（Ｓ０３、属性選択ステップ）。属性選択部１０２は、選択した属性証明書情報を属性送信部１０３に出力する。
【００３４】
属性送信部１０３は、属性送信部１０３は、属性選択部１０２が選択した属性証明書情報が含むカード発行者情報を携帯電話機２０に送信する（Ｓ０４、属性送信ステップ）。送信されたカード発行者情報は、携帯電話機２０が受信し、そのディスプレイに状態変更を行うための画面が表示される（Ｓ０５、図５参照）。
【００３５】
ユーザＡは、例えば、カード会社Ａ及びカード会社Ｂのチェックボックスをチェックする（Ｓ０６、図６参照）。その後、停止ボタンを押すと、携帯電話機２０からカード状態変更システム１０にその情報が送信される（Ｓ０７）。
【００３６】
属性送信部１０３のカード発行者情報の送信に応じて携帯電話機２０から送信される、状態を変更するカードの少なくともカード発行者を特定するためのカード発行者情報（発行者特定情報）を含む変更発行者特定情報を、変更情報受信部１０４が受信する（変更情報受信ステップ）。変更情報受信部１０４は、受信した変更発行者特定情報を変更処理部１０５に出力する。
【００３７】
変更処理部１０５は、変更発行者特定情報の受信に応じて、属性証明書格納部１５０に格納されている属性証明書情報を更新する（Ｓ０８）。変更処理部１０５はこの処理を行った後、変更処理が終了した旨及び対応する証明書識別情報及び属性証明書情報を変更情報送信部１０６に出力する。
【００３８】
変更情報送信部１０６は、変更情報受信部１０４が受信した変更発行者特定情報によって特定されるカード発行者が使用する通信装置に、ユーザＡの属性証明書情報に対応する証明書識別情報を含むカード状態変更情報を送信する（Ｓ１０、変更情報送信ステップ）。また、変更情報送信部１０６は、携帯電話機２０に停止処理が終了した旨の情報も送信する（Ｓ０９）。
【００３９】
カード状態変更情報を受信したカード会社端末３０，３２，３４，３６，３８において、カード状態の変更処理が行われる（Ｓ１１）。
【図面の簡単な説明】
【００４０】
【図１】本実施形態であるカード状態変更システムの機能的な構成を説明するための図である。
【図２】図１の属性証明書格納部に格納されている情報の例を示す図である。
【図３】本実施形態であるカード状態変更システムを利用する際のフローを示す図である。
【図４】本実施形態であるカード状態変更システムのハードウェア構成図である。
【図５】図１の携帯電話機２０に表示される画面の例を示す図である。
【図６】図１の携帯電話機２０に表示される画面の例を示す図である。
【図７】図１の携帯電話機２０に表示される画面の例を示す図である。
【符号の説明】
【００４１】
１０…カード状態変更システム、１０１…証明書受信部、１０２…属性選択部、１０３…属性送信部、１０４…変更情報受信部、１０５…変更処理部、１０６…変更情報送信部、１５０…属性証明書格納部、２０…携帯電話機、３０，３２，３４，３６，３８…カード会社端末。
【図１】
2007264940.tif 000003
【図２】
2007264940.tif 000004
【図３】
2007264940.tif 000005
【図４】
2007264940.tif 000006
【図５】
2007264940.tif 000007
【図６】
2007264940.tif 000008
【図７】
2007264940.tif 000009